(57)【要約】【課題】視界の妨げにならない小さな枠体に、ラッチ機構を高強度で取り付けることができるようにしたガラス扉を提供する。【解決手段】  一方の縦枠３ｂ外側面に、ガラス２の方向に連通する開口部７を形成し、開口部７に対向するガラス２の側縁部に切り欠きを設け、縦枠３ｂの内側面に、開口部７に連通するとともに、ガラス２の切り欠き３ｂに嵌合する収容カバー１１を取り付け、開口部７から収容カバー１１内にラッチ機構４の本体ケース２７を嵌合して収容し、本体ケース２７に設けられたラッチ２９を、開口部７から外側方に突出させる。【選択図】図３
2005105592.tif 000002
【特許請求の範囲】
【請求項１】
左右両側の縦枠と該縦枠の上部および下部を連結する上枠および下枠とにより構成した枠体にガラスを嵌め込んだガラス扉において、
前記縦枠のいずれか一方の外側面に、前記ガラスの方向に連通する開口部を形成し、該開口部に対向する前記ガラスの側縁部に切り欠きを設け、前記縦枠の内側面に、前記開口部に連通するとともに、前記ガラスの切り欠きに嵌合する収容カバーを取付け、前記開口部から収容カバー内にラッチ機構の本体ケースを嵌合して収容し、前記本体ケースに設けられたラッチを、前記開口部から外側方に突出させたことを特徴とするガラス扉。
【請求項２】
収容カバーの外周部に、ガラスの切り欠きの縁部が嵌合するようにした溝を設けたことを特徴とする請求項１記載のガラス扉。
【請求項３】
収容カバーを、前後１対の分割片を互いに重ね合わせて形成したことを特徴とする請求項１または２記載のガラス扉。
【請求項４】
縦枠の内側面に、上下に延びるガラス挿入溝を設けるとともに、該ガラス挿入溝の奥部に拡幅溝を設け、開口部から前記拡幅溝に連結部材の嵌合部を嵌合し、前記連結部材に収容カバーを取り付けたことを特徴とする請求項１〜３のいずれかに記載のガラス扉。
【請求項５】
ラッチ機構が、本体ケースと、該本体ケースの一端部に設けられ、ラッチが突出する取付板と、本体ケースより前後方向に突出し、ラッチを取付板から出没させるハンドルとを備え、前記本体ケースを収容カバー内に挿入し、前記取付板を連結部材に固定し、かつ前記ハンドルを収容カバーを前後方向に貫通させて、収容カバーの外側から操作可能としたことを特徴とする請求項４記載のガラス扉。  
【請求項６】
ラッチ機構に、本体ケースと収容カバーとを貫通して先端面が外部に露呈するようにしたシリンダ錠と、このシリンダ錠に挿入したキーの操作により、本体ケースに設けたデッドボルトを出没させるようにした施錠機構を組み込んだことを特徴とする請求項１〜５のいずれかに記載のガラス扉。
【発明の詳細な説明】
【技術分野】
【０００１】
本発明はガラス扉に関し、特にガラス扉へのラッチ機構の取付構造に関する。
【背景技術】
【０００２】
例えば、ショールーム、オフィス等において、周囲の壁をガラスで構成し、かつ出入り口もガラス扉で構成したガラス壁構造体が知られている。
【発明の開示】
【発明が解決しようとする課題】
【０００３】
この種のガラス壁構造体に適用されるガラス扉においても、通常の扉と同様に、ラッチ機構や施錠機構を必要とする場合がある。ところが、ガラス壁構造体においては、視界の妨げにならないように、ガラスの縁に取付ける枠体はできるだけ小面積のものが要求され、ガラス扉にこのような小面積の枠体を用いた場合、ガラス扉にラッチ機構等を所定の強度を持たせて取付けることは困難であった。そのため、ラッチ機構等を取付けようとすれば、大きな枠体をガラスの縁に取付けざるを得ず、そうすると視界の妨げになるため、従来のガラス扉にはラッチ機構等が取付けられていないものが多い。
【０００４】
本発明は、従来の技術が有する上記のような問題点に鑑み、視界の妨げにならない小さな枠体に、ラッチ機構等を高強度で取り付けることができるようにしたガラス扉を提供することを目的としている。
【課題を解決するための手段】
【０００５】
本発明によると、上記課題は、次のようにして解決される。
(１)左右両側の縦枠と該縦枠の上部および下部を連結する上枠および下枠とにより構成した枠体にガラスを嵌め込んだガラス扉において、前記縦枠のいずれか一方の外側面に、前記ガラスの方向に連通する開口部を形成し、該開口部に対向する前記ガラスの側縁部に切り欠きを設け、前記縦枠の内側面に、前記開口部に連通するとともに、前記ガラスの切り欠きに嵌合する収容カバーを取付け、前記開口部から収容カバー内にラッチ機構の本体ケースを嵌合して収容し、前記本体ケースに設けられたラッチを、前記開口部から外側方に突出させる。
【０００６】
(２)上記(１)において、収容カバーの外周部に、ガラスの切り欠きの縁部が嵌合するようにした溝を設ける。
【０００７】
(３)上記(１)または(２)項において、収容カバーを、前後１対の分割片を互いに重ね合わせて形成する。
【０００８】
(４)上記(１)〜(３)項のいずれかにおいて、縦枠の内側面に、上下に延びるガラス挿入溝を設けるとともに、該ガラス挿入溝の奥部に拡幅溝を設け、開口部から前記拡幅溝に連結部材の嵌合部を嵌合し、前記連結部材に収容カバーを取り付ける。
【０００９】
(５)上記(４)項において、ラッチ機構が、本体ケースと、該本体ケースの一端部に設けられ、ラッチが突出する取付板と、本体ケースより前後方向に突出し、ラッチを取付板から出没させるハンドルとを備え、前記本体ケースを収容カバー内に挿入し、前記取付板を連結部材に固定し、かつ前記ハンドルを収容カバーを前後方向に貫通させて、収容カバーの外側から操作可能とする。
【００１０】
(６)上記(１)〜(５)項のいずれかにおいて、ラッチ機構に、本体ケースと収容カバーとを貫通して先端面が外部に露呈するようにしたシリンダ錠と、このシリンダ錠に挿入したキーの操作により、本体ケースに設けたデッドボルトを出没させるようにした施錠機構を組み込む。
【発明の効果】
【００１１】
本発明によると、次のような効果を奏することができる。
(ａ)請求項１記載の発明によると、ガラス扉の縦枠の外側面に開口部を形成し、縦枠の内側面に、この開口部に連通する収容カバーを取り付け、開口部から収容カバー内にラッチ機構の本体ケースを装着するようにしたので、ガラス扉に最小スペースでかつ高強度でラッチ機構を取り付けることができ、大きい面積の縦枠を使用する必要がないので見栄えのよいガラス扉とすることができる。
【００１２】
(ｂ)請求項２記載の発明によると、ガラスと縦枠との間に収容カバーが体裁よく収まるとともに、収容カバーの外周部に設けた溝によってもガラスを保持でき、ガラスの取り付け強度を向上させることができる。
【００１３】
(ｃ)請求項３記載の発明によると、収容カバー１対の分割片を重ね合わせて構成したので、収納カバーを、金型成形により安価に製作できる。
【００１４】
(ｄ)請求項４記載の発明によると、縦枠に形成した拡幅溝に連結部材の嵌合部を嵌合することにより連結部材を開口部に装着し、この連結部材に収容カバーを取付けるようにしたので、連結部材を利用して小幅の縦枠に収容カバーを確実に固定することができる。
【００１５】
(ｅ)請求項５記載の発明によると、連結部材を利用して、ラッチ機構の本体ケースも縦枠に確実に固定することができる。
【００１６】
(ｆ)請求項６記載の発明によると、ラッチ機構に施錠機構を組み込んで、ガラス扉を自由に施解錠操作することができる。
【発明を実施するための最良の形態】
【００１７】
以下、本発明の一実施形態を，図面に基づいて説明する。
図１は本発明の一実施形態を備えるガラス扉の正面図を示す。
図１に示すように、ガラス扉(１)は、右方の側端がヒンジ（図示略）をもってドアフレーム（図示略）等に枢着されたスイング式のものであって、ガラス(２)と、このガラス(２)の四周に設けられた枠体(３)とにより構成されている。この枠体(３)は、左右両側に設けられた縦枠(3b)(3c)と、この縦枠(3b)(3c)の上部および下部同士を連結する上枠(3a)および下枠(3d)とにより構成されている。図における左側の縦枠(3b)に、以下のようにラッチ機構(４)が取り付けられている。
【００１８】
図２および図３は、ラッチ機構(４)の取り付け部分の分解斜視図である。
図２に示すように、縦枠(3b)の内側面（ガラス(２)の取り付け側）には、ガラス嵌めこみ用のガラス挿入溝(５)およびこのガラス挿入溝(５)に連通する凹部(６)が形成され、外側面の中央部には凹部(６)に連通するとともに、縦枠(3b)を左右方向に貫通する開口部(７)が形成されている。凹部(６)の両側壁には拡幅溝(９)が形成されている。
【００１９】
開口部(７)の上下から拡幅溝(９)に、１対の連結部材(10)が嵌めこまれ、この連結部材(10)に以下のように収容カバー(11)およびラッチ機構(４)が取り付けられている。
連結部材(10)は、角型の取付部(12)と、この取付部(12)の上下面（上方のものは上面、下方のものは下面）に形成された嵌合部(13)とにより構成され、取付部(12)には、１個のねじ孔(14a)と２個の貫通孔(14b)とが穿設されている。
【００２０】
収容カバー(11)は、前後１対の分割片(11a)(11b)により構成されている。この分割片(11a)(11b)には、相対向する内向き突部(16)が上下および右側部（ガラス側）の三辺に形成されている。上下の内向き突部(16)の左端面には、左右方向を向くねじ孔(17)が、また両分割片(11a)(11b)の上下部には、前後方向を向く貫通孔(18)が形成されている。両分割片(11a)(11b)の内向き突部(16)同士を互いに突合せ、貫通孔(18)に挿入した止めねじ(20)を締め付けることにより、収容カバー(11)が形成されている。この収容カバー(11)の内部には収納空間(19)が形成され、三辺の外周には、ガラス(２)の左側部に形成した切り欠き(2a)の縁部が嵌め込まれる溝(21)が形成されている。収容カバー(11)の前後面には、シリンダ錠(22)を取り付ける孔(23)およびハンドル(24)を取り付ける孔(25)が形成されている。
【００２１】
上下の連結部材(10)の嵌合部(13)は、開口部(７)内から、縦枠(3b)の拡幅溝(９)に嵌め込まれ、取付部(12)は開口部(17)の上下の段部(８)に係止される。収容カバー(11)は連結部材(10)の後面に当接され、連結部材(10)の貫通孔(14b)を介して収容カバー(11)のねじ孔(17)に螺合した止めねじ(26)により、収容カバー(11)は連結部材(10)に固定されている。収容カバー(11)の収納空間(19)と縦枠(3b)の開口部(７)とは互いに連通している。
図３は、上記のようにして、収容カバー(11)が組み付けられた縦枠(3b)とラッチ機構(４)の分解斜視図である。
【００２２】
ラッチ機構(４)は、この例では、施錠機構（図示略）を組み込んだ型式のものとしてあり、それらの機構部分が収納された本体ケース(27)と、その前部に設けられた取付板(28)とを備え、この取付板(28)には、ラッチ(29)とデッドボルト(30)とが、出没自在に装着されている。本体ケース(27)には、上記シリンダ錠(22)の回転軸(22a)が挿入される孔(31)と、ハンドル(24)が挿入される孔(32)とが設けられている。取付板(28)の上下部には取付孔(33)が設けられている。
【００２３】
本体ケース(27)を縦枠(3b)の開口部(７)から収容カバー(11)の収容空間(19)内に挿入し、取付板(28)を連結部材(10)の取付部(12)に当接させ、かつ取付板(28)の前面に化粧カバー(34)を当て、化粧カバー(34)の取付孔(35)および取付板(28)の取付孔(33)から連結部材(10)のねじ孔(14a)に止めねじ(36)を螺合させることにより、本体ケース(27)は縦枠(3b)に固定されている。
【００２４】
収容カバー(11)の孔(23)には、らデッドボルト(29)を出没させて、施解錠操作するシリンダ錠(22)が装着され、同じく、孔(25)には、ラッチ(30)を引き込んで解除するハンドル(24)が装着されている。ガラス(２)の左方の端縁は、縦枠(3b)のガラス挿入溝(５)に嵌め込まれ、ガラス(２)に形成されている切り欠き(2a)は、収容カバー(11)の溝(21)に嵌め込まれている。凹部(６)には必要に応じてガラス(２)の両側面に密着するガスケット(37)が挿入されている。
【００２５】
この実施形態においては、ガラス扉(１)の縦枠(3a)の外側面に開口部(７)を形成し、縦枠(3a)の内側面に、この開口部(７)に連通する収容カバー(11)を取り付け、開口部(７)から収容カバー(11)内に、ラッチ機構(４)の本体ケース(27)を装着するようにしたので、ガラス扉(１)に最小スペースでかつ高強度でラッチ機構(４)を取り付けることができ、幅広の縦枠(3a)を使用する必要がないので、見栄えのよいガラス扉(１)とすることができる。
【００２６】
また、収容カバー(11)の外周部に、ガラス(２)の端縁に形成した切り欠き(2a)を嵌めこむ溝(21)を形成したので、ガラス(２)と縦枠(3a)との間に、収容カバー(11)が体裁よく収まるとともに、収容カバー(11)の部分でもガラス(２)を保持でき、ガラス(２)の取り付け強度を向上させることができる。
【００２７】
また、収容カバー(11)を２枚の分割片(11a)(11b)を重ね合わせて構成したので、錠前カバー(11)を金型成形により簡単に製作できる。さらに縦枠(3a)に形成した拡幅溝(９)に連結部材(10)の嵌合部(13)を嵌入することにより、連結部材(10)を開口部(７)に装着し、かつこの連結部材(10)に収容カバー(11)を取り付けるようにしたので、連結部材(10)を利用して、小幅の縦枠(3a)に収容カバー(11)を確実に固定することができる。
【００２８】
さらにまた、ラッチ機構(４)の本体ケース(27)を、収容カバー(11)内に挿入し、本体ケース(27)の一端部に設けられた取付板(28)を、連結部材(10)の取付部(12)に固定したので、連結部材(10)を利用して、本体ケース(27)も縦枠(3a)に確実に固定することができる。
【００２９】
なお、施錠を必要としない場合は、上述のラッチ機構(４)から、デッドボルト(30)およびシリンダ錠(22)等を含む施錠機構を取り除き、ラッチ機構をラッチ機能のみを有するものとすることもできる。
【図面の簡単な説明】
【００３０】
【図１】本発明の一実施形態の正面図である。
【図２】同じく、ラッチ機構の取り付け部分の分解斜視図である。
【図３】同じく、縦枠とラッチ機構の本体ケースとの分解斜視図である。
【図４】図３のIＶ−IＶ線断面図である。
【符号の説明】
【００３１】
(１)ガラス扉
(２)ガラス
(2a)切り欠き
(３)枠体
(3a)上枠
(3b)縦枠
(3c)縦枠
(3d)下枠
(４)ラッチ機構
(５) ガラス挿入溝
(６)凹部
(７)開口部
(８)段部
(９)拡幅溝
(10)連結部材
(11)収容カバー
(11a)(11b)分割片
(12)取付部
(13)嵌合部
(14a)ねじ孔
(14b)貫通孔
(16)内向き突部
(17)ねじ孔
(18)貫通孔
(19)収容空間
(20)止めねじ
(21)溝
(22)シリンダ錠
(22a)回転軸
(23)孔
(24)ハンドル
(25)孔
(26)止めねじ
(27)本体ケース
(28)取付板
(29)ラッチ
(30)デッドボルト
(31)(32)孔
(33)取付孔
(34)化粧カバー
(35)取付孔
(36)止めねじ
(37)ガスケット
【図１】
2005105592.tif 000003
【図２】
2005105592.tif 000004
【図３】
2005105592.tif 000005
【図４】
2005105592.tif 000006